(57)【特許請求の範囲】
【請求項１】
全二重中継（ＦＤＲ：Ｆｕｌｌ  Ｄｕｐｌｅｘ  Ｒｅｌａｙ）方式を用いるコードレス通信システムの中継局で位相エラーを償うための装置において、
アンテナを通じて受信した信号を復調及び復号する受信モデムと、
受信端に送るための信号を符号化及び変調する送信モデムと、
前記受信モデムから提供を受けた信号を構成する少なくとも二つのシンボルの位相エラーを償うＣＰＥ（Ｃｏｍｍｏｉｎ  Ｐｈａｓｅ  Ｅｒｒｏｒ）補償器と、
前記送信モデムから提供を受けた信号と前記ＣＰＥ補償器から提供を受けた信号とを利用してそれぞれのバーストに対するチャンネルを推定する第１チャンネル推定器と、
前記第１チャンネル推定器から提供を受けたそれぞれのバーストのチャンネルに対する位相を比べて少なくとも二つのバーストの位相差を償う位相補償器と、
前記の位相差を償った少なくとも二つのバーストのチャンネルを考慮して干渉チャンネルを推定する第２チャンネル推定器と、
を含んで構成されることを特徴とする装置。
【請求項２】
前記位相補償器は、
バースト間位相差を償うのに用いる基準位相を保存する保存部と、
前記第１チャンネル推定器で推定したバーストのチャンネル位相と前記基準位相の差を判断する位相差判断部と、
それぞれのバーストに対して前記位相差判断部で判断した位相差を償う位相変換部と、
を含んで構成されることを特徴とする請求項１に記載の装置。
【請求項３】
前記の受信モデムは、
ＦＦＴ（Ｆａｓｔ  Ｆｏｕｒｉｅｒ  Ｔｒａｎｓｆｏｒｍ）演算を通じて受信信号を周波数領域信号に変換するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器と、
前記第２チャンネル推定器で推定した干渉チャンネルを利用して前記ＯＦＤＭ復調器から提供を受けた信号で自己干渉（Ｓｅｌｆ  ｉｎｔｅｒｆｅｒｅｎｃｅ）とアンテナ間干渉（Ｉｎｔｅｒ  ａｎｔｅｎｎａ  ｉｎｔｅｒｆｅｒｅｎｃｅ）との中の少なくとも一つを取り除く干渉除去器と、
前記干渉除去器から提供を受けた信号を復調及び復号する復号化器と、
を含んで構成されることを特徴とする請求項１に記載の装置。
【請求項４】
前記の送信モデムは、
前記受信モデムから提供を受けた信号を符号化及び変調する符号化器と、
ＩＦＦＴ（Ｉｎｖｅｒｓｅ  Ｆａｓｔ  Ｆｏｕｒｉｅｒ  Ｔｒａｎｓｆｏｒｍ）演算を通じて前記符号化器から提供を受けた信号を時間領域信号に変換するＯＦＤＭ変調器と、
を含むことを特徴とする請求項１に記載の装置。
【請求項５】
全二重中継（ＦＤＲ：Ｆｕｌｌ  Ｄｕｐｌｅｘ  Ｒｅｌａｙ）方式を用いるコードレス通信システムの中継局で位相エラーを償うための方法において、
送信端から受信した信号を構成する少なくとも二つのシンボルの位相エラーを償う過程と、
受信端に送るための信号と前記位相エラーを償った信号とを利用してそれぞれのバーストに対するチャンネルを推定する過程と、
それぞれのバーストのチャンネルに対する位相を比べて少なくとも二つのバーストの位相差を償う過程と、
前記の位相差を償った少なくとも二つのバーストのチャンネルを考慮して干渉チャンネルを推定する過程と、
を含むことを特徴とする方法。
【請求項６】
前記位相エラーを償う過程は、
ＣＰＥ（Ｃｏｍｍｏｉｎ  Ｐｈａｓｅ  Ｅｒｒｏｒ）補償器が、受信信号でバーストを構成する少なくとも二つのシンボルの中のどの一つのシンボルでも基準として少なくとも一つの残りのシンボルの位相エラーを償う過程を含むことを特徴とする請求項５に記載の方法。
【請求項７】
前記位相差を償う過程は、
位相補償器が、干渉チャンネルを推定するのに用いる少なくとも二つのバーストの中のどの一つのバーストの位相でも基準として少なくとも一つの残りのバーストの位相差を償う過程を含むことを特徴とする請求項５に記載の方法。
【請求項８】
前記位相差を償う過程は、
位相補償器が、干渉チャンネルを推定するのに用いる少なくとも二つのバーストの中の一番目バーストの一番目シンボルの位相を基準として少なくとも一つの残りのバーストの位相差を償う過程を含むことを特徴とする請求項５に記載の方法。
【請求項９】
前記位相差を償う過程は、
位相補償器が、干渉チャンネルを推定するのに用いる少なくとも二つのバーストの中の一番目バーストのシンボルの位相補償値を基準として少なくとも一つの残りバーストの位相差を償う過程を含むことを特徴とする請求項５に記載の方法。
【請求項１０】
前記位相差を償う過程は、
バースト間位相差を償うのに用いる基準位相を確認する過程と、
バーストのチャンネル位相と前記の基準位相の差を判断する過程と、
それぞれのバーストに対して前記の判断した位相差を償う過程と、
を含むことを特徴とする請求項５に記載の方法。
【請求項１１】
前記干渉チャンネルを推定する過程は、
位相差を償った少なくとも二つのバーストのチャンネルに対する平均を判断する過程を含むことを特徴とする請求項５に記載の方法。
【請求項１２】
前記シンボルの位相エラーを償う以前にＦＦＴ（Ｆａｓｔ  Ｆｏｕｒｉｅｒ  Ｔｒａｎｓｆｏｒｍ）演算を通じて前記送信端から受信した信号を周波数領域信号に変換する過程をさらに含むことを特徴とする請求項５に記載の方法。
【請求項１３】
前記干渉チャンネルを推定した後、前記干渉チャンネルを利用して前記周波数領域信号で自己干渉（Ｓｅｌｆ  ｉｎｔｅｒｆｅｒｅｎｃｅ）とアンテナ間干渉（Ｉｎｔｅｒ  ａｎｔｅｎｎａ  ｉｎｔｅｒｆｅｒｅｎｃｅ）との中の少なくとも一つを取り除く過程と、
前記自己干渉とアンテナ間干渉の中の少なくとも一つを取り除いた信号を復調及び復号する過程をさらに含むことを特徴とする請求項１２に記載の方法。
【請求項１４】
前記送信端から信号を受信するうちに、前記送信端から以前に受信した信号を符号化及び変調する過程と、
ＩＦＦＴ（Ｉｎｖｅｒｓｅ  Ｆａｓｔ  Ｆｏｕｒｉｅｒ  Ｔｒａｎｓｆｏｒｍ）演算を通じて前記の符号化及び変調した信号を時間領域信号に変換する過程と、
前記時間領域信号を高周波信号に変換して前記受信端に送る過程と、
をさらに含むことを特徴とする請求項１２に記載の方法。
【請求項１５】
前記ＣＰＥ（Ｃｏｍｍｏｉｎ  Ｐｈａｓｅ  Ｅｒｒｏｒ）補償器は、
受信信号でバーストを構成する少なくとも二つのシンボルの中のどの一つのシンボルでも基準として少なくとも一つの残りのシンボルの位相エラーを償うことを特徴とする請求項１に記載の装置。
【請求項１６】
前記位相補償器は、
干渉チャンネルを推定するのに用いる少なくとも二つのバーストの中のどの一つのバーストの位相でも基準として少なくとも一つの残りのバーストの位相差を償うことを特徴とする請求項１に記載の装置。
【請求項１７】
前記位相補償器は、
干渉チャンネルを推定するのに用いる少なくとも二つのバーストの中の一番目バーストの一番目シンボルの位相を基準として少なくとも一つの残りのバーストの位相差を償うことを特徴とする請求項１に記載の装置。
【請求項１８】
前記位相補償器は、
干渉チャンネルを推定するのに用いる少なくとも二つのバーストの中の一番目バーストのシンボルの位相補償値を基準として少なくとも一つの残りバーストの位相差を償うことを特徴とする請求項１に記載の装置。
【請求項１９】
前記第２チャンネル推定器は、
位相差を償った少なくとも二つのバーストのチャンネルに対する平均を判断することを特徴とする請求項１に記載の装置。
【発明の詳細な説明】
【技術分野】
【０００１】
本発明はコードレス通信システムで位相エラーを償うための装置及び方法に関することとして、全二重中継（ＦＤＲ：Ｆｕｌｌ  Ｄｕｐｌｅｘ  Ｒｅｌａｙ）方式を用いるコードレス通信システムの中継局で自己干渉（Ｓｅｌｆ  ｉｎｔｅｒｆｅｒｅｎｃｅ）チャンネルまたはアンテナ間干渉（Ｉｎｔｅｒ  ａｎｔｅｎｎａ  ｉｎｔｅｒｆｅｒｅｎｃｅ）チャンネルの位相エラーを償うための装置及び方法に関するのである。
【背景技術】
【０００２】
コードレス通信システムは、セルの端や陰影地域に位置する端末に無線チャンネルを提供するために、中継サービスを提供する。例えば、前記のコードレス通信システムは下記の図１に図示されたように中継局を利用して基地局と端末間送受信する信号を中継する。
【０００３】
図１は従来の技術による中継サービスを提供するためのコードレス通信システムの構成を図示している。
【０００４】
前記の図１に図示されたようにコードレス通信システムは基地局１００と、中継局１１０と、端末１０１，１１１と、を含んで構成される。
【０００５】
前記の基地局１００は、サービス領域に位置する端末１（１０１）と直接通信を遂行して、サービス領域の外に位置する端末２（１１１）と前記の中継局１１０を利用して通信を遂行する。
【０００６】
上述のように中継サービスを提供する場合、前記の中継局１１０は半二重中継（ＨＤＲ：Ｈａｌｆ  Ｄｕｐｌｅｘ  Ｒｅｌａｙ）方式またはＦＤＲ方式を利用して中継サービスを支援する。
【０００７】
前記のＨＤＲ方式を用いる場合、前記の中継局１１０は、基地局１００と通信を遂行するチャンネル資源と、端末２（１１１）と通信を遂行するチャンネル資源とを分離して用いるので周波数の効率が低くなる。
【０００８】
前記のＦＤＲ方式を用いる場合、中継局１１０は、基地局１００と通信を遂行するチャンネル資源と等しいチャンネル資源を利用して、端末２（１１１）と通信を遂行する。例えば、前記のＦＤＲ方式を用いる場合、前記の中継局１１０は、基地局１００と通信を遂行する時間資源と等しい時間資源を利用して、端末２（１１１）とも通信を遂行する。
【０００９】
すなわち、ＦＤＲ方式を用いる場合、前記の中継局１１０は、基地局１００から信号を受信しながら端末２（１１１）に信号を送ったり、前記の端末２（１１１）から信号を受信しながら前記の基地局１００に信号を送ったりするので自己干渉またはアンテナ間干渉が発生する。
【００１０】
したがって、前記の中継局１１０は自己干渉またはアンテナ間干渉を取り除くとＦＤＲ方式で中継サービスを提供することができる。前記の中継局１１０は自分が送る信号が分かっている。これによって、前記の中継局１１０は、前記の送信信号をパイロットに用いて、受信信号の干渉に作用する干渉チャンネルを推定する。例えば、前記の中継局１１０はバースト単位でチャンネルを推定する。
【００１１】
中継サービスを提供するコードレス通信システムでＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いる場合、中継局１１０は、バースト単位で干渉チャンネルを推定して、バースト内の一シンボルを基準として位相エラーを償う。これによって、中継局１１０が多数のバーストに対する平均で干渉チャンネルを推定する場合、前記の中継局１１０は下記の図２に図示されたようにバースト間位相差を補正することができない問題が発生する。
【００１２】
図２Ａと図２Ｂは従来技術によるバーストの位相差を図示している。
【００１３】
前記の図２Ａはシンボルの位相エラーを償う前の位相を示して、前記の図２Ｂはシンボルの位相エラーを償った位相を示す。
【００１４】
ＯＦＤＭ方式を用いる場合、受信信号を構成するそれぞれのシンボルは前記の図２Ａに図示のように位相エラーが異なるように示される。
【００１５】
これによって、中継局はそれぞれのバースト内の一シンボルを基準として前記の図２Ｂに図示のように位相エラーを償う。
【００１６】
ＦＤＲ方式を用いる場合、中継局の送信信号のレベルが受信信号のレベルより非常に大きい。したがって、受信信号に干渉として作用する送信信号のチャンネルを正確に推定するために、多数個のバーストに対する平均で干渉チャンネルを推定する。この場合、前記の中継局は、前記の図２Ｂに図示のようにバースト間位相エラーが異なるので、正確な干渉チャンネルを推定することができない問題が発生する。
【００１７】
これによって、コードレス通信システムからバースト間位相エラーを償って正確な干渉チャンネルの推定のための装置及び方法を要する。
【先行技術文献】
【特許文献】
【００１８】
【特許文献１】米国特許出願公開第２００６−０２２７９０９号
【特許文献２】国際公開第２００８−００４９１６号
【特許文献３】国際公開第２００８−１０８５２８号
【発明の概要】
【発明が解決しようとする課題】
【００１９】
したがって、本発明の目的は、全二重中継（ＦＤＲ）方式を用いるコードレス通信システムの中継局で自己干渉チャンネルを推定するための装置及び方法を提供することにある。
【００２０】
本発明の他の目的は、ＦＤＲ方式を用いるコードレス通信システムの中継局からアンテナ間干渉チャンネルを推定するための装置及び方法を提供することにある。
【００２１】
本発明のまた他の目的は、ＦＤＲ方式を用いるコードレス通信システムの中継局で干渉チャンネルを推定するのに用いられるバースト間位相エラーを償うための装置及び方法を提供することにある。
【課題を解決するための手段】
【００２２】
本発明の目的を果たすための本発明の第１見地によれば、全二重中継（ＦＤＲ）方式を用いるコードレス通信システムの中継局で位相エラーを償うための装置は、アンテナを通じて受信した信号を復調及び復号する受信モデムと、受信端に送るための信号を符号化及び変調する送信モデムと、前記の受信モデムから提供を受けた信号を構成する少なくとも二つのシンボルの位相エラーを償うＣＰＥ（Ｃｏｍｍｏｉｎ  Ｐｈａｓｅ  Ｅｒｒｏｒ）補償器と、前記の送信モデムから提供を受けた信号と前記のＣＰＥ補償器から提供を受けた信号とを利用してそれぞれのバーストに対するチャンネルを推定する第１チャンネル推定器と、前記の第１チャンネル推定器から提供を受けたそれぞれのバーストのチャンネルに対する位相を比べて少なくとも二つのバーストの位相差を償う位相補償器と、位相差を償った少なくとも二つのバーストのチャンネルを考慮して干渉チャンネルを推定する第２チャンネル推定器と、を含んで構成されることを特徴とする。
【００２３】
本発明の第２見地によれば、全二重中継（ＦＤＲ）方式を用いるコードレス通信システムの中継局で位相エラーを償うための方法は、送信端から受信した信号を構成する少なくとも二つのシンボルの位相エラーを償う過程と、受信端に送る信号と前記の位相を償った信号とを利用してそれぞれのバーストに対するチャンネルを推定する過程と、それぞれのバーストのチャンネルに対する位相を比べて少なくとも二つのバーストの位相差を償う過程と、位相差を償った少なくとも二つのバーストのチャンネルを考慮して干渉チャンネルを推定する過程と、を含むことを特徴とする。
【００２４】
本発明の他の見地、利益、主な特徴は以下の添付された本発明の実施例及び図面とともに説明される詳細な説明から当業者に明白に認識される。
本発明の実施例による本発明の上述した見地（ａｓｐｅｃｔ）及び他の見地、特徴、利益は次のような図面とともに説明される詳細な説明から自明でありうる。
【図面の簡単な説明】
【００２５】
【図１】図１は従来技術による中継サービスを提供するコードレス通信システムの構成を図示する図面である。
【図２】図２Ａと２Ｂは従来技術によるバースト間位相差を図示する図面である。
【図３】図３は本発明による全二重中継（ＦＤＲ）方式を用いる中継局のブロック構成を図示する図面である。
【図４】図４は本発明による全二重中継（ＦＤＲ）方式を用いる中継局で干渉制御部の詳細ブロック構成を図示する図面である。
【図５】図５は本発明による干渉制御部で位相補償器の詳細ブロック構成を図示する図面である。
【図６】図６は本発明の実施例による全二重中継（ＦＤＲ）方式を用いる中継局で自己干渉のチャンネルに対する位相を償うための手続きを図示する図面である。
【図７】図７Ａと７Ｂ及び７Ｃは本発明の実施例による位相を償ったバーストの位相を図示する図面である。
【発明を実施するための形態】
【００２６】
以下の図面を参考した説明は請求範囲及びこれと同等なことによって定義される本発明の実施例の包括的な理解を助けるために提供される。以下の説明は理解を助けるために多様な具体的な詳細事項を含むが、ただ例示として取り扱いされるだけである。したがって、本発明の思想や範囲を脱しない限度内で実施例の多様な変形及び修正が可能である。また、広く知られた機能及び構造の説明は明確性のために省略される。
【００２７】
“ａ”、“ａｎ”及び“ｔｈｅ”のような単数の形式は文脈で明確に記述しない限り多数の指示対象を含む。例えば、“ａ  ｃｏｍｐｏｎｅｎｔ  ｓｕｒｆａｃｅ”は少なくとも一つの意味を含む。
【００２８】
以下の説明は全二重中継（ＦＤＲ）方式を用いるコードレス通信システムで干渉チャンネルを推定するのに用いられる少なくとも二つのバースト間位相エラーを償うための装置及び方法に対して説明する。ここで、前記の干渉チャンネルは自己干渉チャンネルまたはアンテナ間干渉チャンネルを意味する。
【００２９】
以下の説明でコードレス通信システムは直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）/直交周波数分割多重接続（ＯＦＤＭＡ）方式を用いることを仮定して説明する。
【００３０】
前記のＦＤＲ方式を用いるコードレス通信システムの中継局は下記の図３に図示されたように構成される。
【００３１】
図３は本発明による全二重中継（ＦＤＲ）方式を用いる中継局のブロック構成を図示している。
【００３２】
前記の図３の図示のように、中継局は、ＲＦ処理器３０１、３１３と、アナログ/デジタル変換器（ＡＤＣ：Ａｎａｌｏｇ/Ｄｉｇｉｔａｌ Ｃｏｎｖｅｒｔｏｒ）３０３と、受信モデム３０５と、データバッファ３０７と、送信モデム３０９と、デジタル/アナログ変換器（ＤＡＣ：Ｄｉｇｉｔａｌ/Ａｎａｌｏｇ  Ｃｏｎｖｅｒｔｏｒ）３１１と、干渉制御部３１５と、を含んで構成される。
【００３３】
前記のＲＦ処理器３０１は受信アンテナを通じて受信した高周波信号（ＲＦ：Ｒａｄｏｉｏ  Ｆｒｅｑｕｅｎｃｙ）を基底帯域信号に変換する。
【００３４】
前記のアナログ/デジタル変換器３０３は前記のＲＦ処理器３０１から提供を受けた信号をデジタル信号に変換する。
【００３５】
前記の受信モデム３０５は前記のアナログ/デジタル変換器３０３から提供を受けた信号を復調及び復号して出力する。例えば、前記の受信モデム３０５はＯＦＤＭ復調器と干渉除去器及び復号化器を含んで構成される。前記のＯＦＤＭ復調器は、ＦＦＴ（Ｆａｓｔ  Ｆｏｕｒｉｅｒ  Ｔｒａｎｓｆｏｒｍ）演算を通じて、前記のアナログ/デジタル変換器３０３から提供を受けた信号を周波数領域信号に変換する。前記の干渉除去器は、前記の干渉制御部２１５から提供を受けた干渉チャンネルを利用して、前記のＯＦＤＭ復調器から提供を受けた信号で干渉信号を取り除く。前記の復号化器は前記の干渉除去器から提供を受けた信号を復調及び復号して出力する。
【００３６】
前記のデータバッファ３０７は前記の受信モデム３０５から提供を受けた信号を一時保存する。
【００３７】
前記の送信モデム３０９は前記のデータバッファ３０７から提供を受けた信号を符号化及び変調して出力する。例えば、前記の送信モデム３０９は符号化器及びＯＦＤＭ変調器を含んで構成される。前記の符号化器は前記のデータバッファ３０７から提供を受けた信号を符号化及び変調する。前記のＯＦＤＭ変調器は、ＩＦＦＴ（Ｉｎｖｅｒｓｅ  Ｆａｓｔ  Ｆｏｕｒｉｅｒ  Ｔｒａｎｓｆｏｒｍ）演算を通じて、前記の符号化器から提供を受けた信号を時間領域信号に変換して出力する。
【００３８】
前記のデジタル/アナログ変換器３１１は前記の送信モデム３０９から提供を受けた信号をアナログ信号に変換する。
【００３９】
前記のＲＦ処理器３１３は前記のデジタル/アナログ変換器３１１から提供を受けた信号を高周波信号に変換してアンテナを通じて出力する。
【００４０】
前記の干渉制御部３１５は、送信アンテナを通じて送信される信号が受信アンテナに干渉として作用する干渉チャンネルを推定する。この時、前記の干渉制御部３１５は、前記の送信モデム３０９で出力される信号を基準信号として利用して、自己干渉チャンネルまたはアンテナ間干渉チャンネルを推定する。例えば、前記の干渉制御部３１５は下記の図４の図示のように構成される。
【００４１】
上述の実施例で前記の中継局は前記のＲＦ処理器３０１と前記のアナログ/デジタル変換器３０３及び前記の受信モデム３０５が分離して、前記の送信モデム３０９と前記のデジタル/アナログ変換器３１１及び前記のＲＦ処理器３１３が分離するように構成される。
【００４２】
他の実施例で前記の中継局は前記のＲＦ処理器３０１と、前記のアナログ/デジタル変換器３０３機能を含む前記の受信モデム３０５と、前記のデジタル/アナログ変換器３１１と、前記のＲＦ処理器３１３の機能を含む前記の送信モデム３０９と、を含んで構成されることもできる。
【００４３】
図４は本発明による全二重中継（ＦＤＲ）方式を用いる中継局で干渉制御部の詳細ブロック構成を図示している。
【００４４】
前記の図４の図示のように、前記の干渉制御部３１５は、ＣＰＥ補償器４０１と、第１チャンネル推定器４０３と、位相補償器４０５と、第２チャンネル推定器４０７と、を含んで構成される
【００４５】
前記のＣＰＥ補償器４０１は前記の受信モデム３０５から提供を受けた受信信号でシンボルの位相エラーを償う。例えば、前記のＣＰＥ補償器４０１は、受信信号のバースト別にどの一つのシンボルでも基準としてバーストに含まれるシンボルに対する位相エラーを償う。
【００４６】
前記の第１チャンネル推定器４０３は、前記の送信モデム３０９から提供を受けた送信信号を基準信号として利用して前記のＣＰＥ補償器４０１で位相エラーが補償されたシンボルを利用して、それぞれのバーストに対するチャンネルを推定する。例えば、前記の第１チャンネル推定器４０３は、前記のＣＰＥ補償器４０１から提供を受けた位相エラーが補償された受信信号に、前記の送信モデム３０９からの送信信号を掛けて、それぞれのバーストに対するチャンネルを推定する。
【００４７】
前記の位相補償器４０５は前記の第１チャンネル推定器４０３で推定したチャンネルを利用してバーストの位相差を償う。例えば、前記の位相補償器４０５は、前記の第２チャンネル推定器４０７で干渉チャンネルを推定する時に用いる多数個のバーストの中のどの一つのバーストの位相でも基準位相として用いて、残りのバーストの位相差を償う。他の例では、前記の位相補償器４０５は、前記の第２チャンネル推定器４０７で干渉チャンネルを推定する時に用いる多数個のバーストの中の一番目バーストの一番目シンボルの位相を基準位相として用いて、残りのバーストの位相差を償うこともできる。また他の例では、前記の位相補償器４０５は、前記の第２チャンネル推定器４０７で干渉チャンネルを推定するのに用いるバーストの中の一番目バーストのシンボルの位相補償値を基準位相として用いて、残りのバーストの位相差を償うこともできる。
【００４８】
前記の第２チャンネル推定器４０７は、前記の位相補償器４０５で位相差を償ったＮ個のバーストに対するチャンネルの平均を判断する。この時、前記の第２チャンネル推定器４０７は自分が判断した平均を自己干渉信号またはアンテナ間干渉信号に対する干渉チャンネルで認識する。
【００４９】
上述した干渉制御部３１５の構成で前記の位相補償器４０５は下記の図５の図示のように構成される。
【００５０】
図５は本発明による干渉制御部で位相補償器の詳細ブロック構成を図示している。
【００５１】
前記の図５の図示のように、前記の位相補償器４０５は、保存部５０１と、位相差判断部５０３と、位相変換部５０５と、を含んで構成される。
【００５２】
前記の保存部５０１は、前記の位相補償器４０５で基準位相として設定された値を保存する。例えば、前記の位相補償器４０５は、前記の第２チャンネル推定器４０７で干渉チャンネルを推定する時に用いる多数個のバーストの中のどの一つのバーストの位相でも基準位相として設定して、前記の保存部５０１に保存する。他の例では、前記の位相補償器４０５は、前記の第２チャンネル推定器４０７で干渉チャンネルを推定する時に用いる多数個のバーストの中の一番目バーストの一番目シンボルの位相を基準位相として設定して、前記の保存部５０１に保存する。また他の例では、前記の位相補償器４０５は、前記の第２チャンネル推定器４０７で干渉チャンネルを推定するのに用いるバーストの中の一番目バーストのシンボルの位相補償値を基準位相として設定して、前記の保存部５０１に保存する。
【００５３】
前記の位相差判断部５０３は前記の保存部５０１に保存された基準位相と前記の第１チャンネル推定器４０３で推定したバーストのチャンネルの位相との差を判断する。
【００５４】
前記の位相変換部５０５は、前記の位相差判断部５０３から提供を受けた位相差を利用して、前記の第１チャンネル推定器４０３から提供を受けたバーストの位相差を償う。
【００５５】
以下の説明は干渉チャンネルを推定するための中継局の動作方法に対して説明する。
【００５６】
図６は本発明の実施例による全二重中継（ＦＤＲ）方式を用いる中継局で自己干渉のチャンネルに対する位相を償うための手続きを図示している。
【００５７】
前記の図６を参照すれば、前記の中継局は、６０１段階で、受信信号に含まれるそれぞれのシンボルに対する位相エラーを償う。例えば、ＯＦＤＭ方式を用いる場合、受信信号を構成するそれぞれのシンボルは図７Ａの図示のように位相エラーが異なるように示される。これによって、前記の図７Ｂの図示のように、前記の中継局はバーストを構成するシンボルの中のどの一つのシンボルでも基準としてそれぞれのシンボルに対する位相エラーを償う。
【００５８】
シンボルの位相エラーを償った後、前記の中継局は、６０３段階に進行して、送信信号を基準として前記の６０１段階で位相エラーを償ったｉ番目バーストのチャンネルを推定する。例えば、前記の中継局は、位相エラーが補償された受信信号に前記の送信モデム３０９からの送信信号を掛けて、ｉ番目バーストに対するチャンネルを推定する。ここで、前記のｉは、干渉チャンネルを推定するのに用いられるバーストのインデックスであり、その初期値は０である。
【００５９】
前記のｉ番目バーストに対するチャンネルを推定した後、前記の中継局は、６０５段階に進行して、前記のｉ番目バーストに対するチャンネル位相と基準位相の差を確認する。例えば、前記の中継局は、干渉チャンネルを推定する時に用いるＮ個のバーストの中のどの一つのバーストの位相でも基準位相として用いる。他の例では、前記の中継局は、干渉チャンネルを推定する時に用いるＮ個のバーストの中の一番目バーストの一番目シンボルの位相を基準位相として用いることができる。また他の例では、前記の中継局は、干渉チャンネルを推定するのに用いるバーストの中の一番目バーストのシンボルの位相補償値を基準位相で用いることもできる。
【００６０】
前記のｉ番目バーストに対するチャンネル位相と基準位相の差を判断した後、前記の中継局は、６０７段階に進行して、前記の判断したｉ番目バーストに対するチャンネル位相と基準位相の差を償う。例えば、前記の図７Ｂの図示のように、干渉チャンネルを推定するのに用いるバーストは互いに異なる位相差を持つ。これによって、前記の中継局は、前記の図７Ｃの図示のように、基準位相を考慮してｉ番目バーストに対するチャンネル位相を償う。
【００６１】
以後、前記の中継局は、６０９段階に進行して、干渉チャンネルを推定するのに用いるすべてのバーストの位相差を償ったのかを確認する。例えば、前記の中継局がＮ個のバーストの平均で干渉チャンネルを推定する場合、前記の中継局は、前記の６０７段階で位相差を償ったバーストのインデックス（ｉ）とＮを比べる。ここで、前記のＮは干渉チャンネルを推定するのに用いるバーストの個数を示す。
【００６２】
ｉがＮより小さい場合（ｉ<Ｎ）、前記の中継局は、干渉チャンネルを推定するのに用いるすべてのバーストの位相差を償なっていないと認識する。これによって、前記の中継局は６１３段階に進行してｉを増加させる（ｉ++）。
【００６３】
以後、前記の中継局は、前記の６０１段階に進行して、前記の６１３段階で更新したｉにあたるバーストを構成するシンボルの位相エラーを償う。
【００６４】
一方、ｉがＮより大きいまたは等しい場合（ｉ≧Ｎ）、前記の中継局は、干渉チャンネルを推定するのに用いるすべてのバーストの位相差を償ったと認識する。これによって、前記の中継局は、６１１段階に進行して、Ｎ個のバーストのチャンネルに対する平均を判断して干渉チャンネルを推定する。
【００６５】
以後、前記の中継局は本アルゴリズムを終了する。
【００６６】
上述したように、全二重中継（ＦＤＲ）方式を用いるコードレス通信システムの中継局で干渉チャンネルを推定するのに用いられるバースト間位相エラーを償うことで、自己干渉またはアンテナ間干渉に対するチャンネルを正確に推定してチャンネル推定による性能劣化を減らすことができる利点がある。
【００６７】
一方、本発明の詳細な説明では具体的な実施例に対して説明したが、本発明の範囲から脱しない限度内でさまざまな変形が可能である。したがって本発明の範囲は説明された実施例に限って決まってはならなくて後述する特許請求の範囲だけではなくこの特許請求の範囲と均等なものなどによって決まらなければならない。
【符号の説明】
【００６８】
３０５  受信モデム
３０９  送信モデム    ４０１  ＣＰＥ（Ｃｏｍｍｏｉｎ  Ｐｈａｓｅ  Ｅｒｒｏｒ）補償器
４０３  第１チャンネル推定器
４０５  位相補償器
４０７  第２チャンネル推定器
【図１】
0005557402.tif 000002
【図２】
0005557402.tif 000003
【図３】
0005557402.tif 000004
【図４】
0005557402.tif 000005
【図５】
0005557402.tif 000006
【図６】
0005557402.tif 000007
【図７】
0005557402.tif 000008